(57)【要約】【課題】中継可能なネットワークエントリ手順を改善する。【解決手段】加入者設備と、基地局と、１又はそれ以上の中継局の形をとる中間装置とを有する無線通信システムにおける使用のための方法は、中間装置において、例えば加入者設備からレンジングコードを受信することによって、加入者設備が中間装置と共にネットワークエントリ処理を開始したかどうかを判断する。判断時に、中間装置は、加入者設備とともにネットワークエントリ処理を実行し続けながらその事実を基地局に通知する。基地局は、基地局から中間装置へと導かれる誘導処理の一部として、中間装置への返信メッセージによりこの通知に応答する。従って、中間装置はネットワークエントリ処理の完了を管理することができる。方法は、特にＩＥＥＥ８０２．１６（ＷｉＭＡＸ）などの標準規格に基づくマルチホップ無線システムに関連する。【選択図】図４
2010200375.tif 000002
【特許請求の範囲】
【請求項１】
発信源装置、送り先装置及び中間装置を有する無線通信システムにおいて使用される伝送方法であって、前記発信源装置及び前記送り先装置は前記中間装置を介して情報を送信及び受信するよう配置され、少なくとも前記発信源装置は前記無線通信システムへ接続するためにネットワークエントリ処理を実行するよう配置される伝送方法において、
前記中間装置によって、閾値が達成されるまで前記中間装置と前記発信源装置との間のレンジング処理を管理する、ことを特徴とする伝送方法。
【請求項２】
前記レンジング処理に関するフィードバック情報は、前記中間装置及び前記発信源装置から局所的に送信される、ことを特徴とする請求項１記載の伝送方法。
【請求項３】
前記送り先装置から送信される最終のレンジング応答は中継される、ことを特徴とする請求項１記載の伝送方法。
【請求項４】
発信源装置、送り先装置及び中間装置を有する無線通信システムであって、前記発信源装置及び前記送り先装置は前記中間装置を介して情報を送信及び受信するよう配置され、少なくとも前記発信源装置は当該無線通信システムへ接続するためにネットワークエントリ処理を実行するよう配置される無線通信システムにおいて、
前記中間装置は、閾値が達成されるまで前記中間装置と前記発信源装置との間のレンジング処理を管理する、ことを特徴とする無線通信システム。
【請求項５】
前記中間装置及び前記発信源装置は、前記レンジング処理に関するフィードバック情報を局所的に送信する、ことを特徴とする請求項４記載の無線通信システム。
【請求項６】
前記送り先装置から送信される最終のレンジング応答は中継される、ことを特徴とする請求項４記載の無線通信システム。
【請求項７】
中間装置を介して情報を送信及び受信するよう配置される発信源装置及び送り先装置を有し、少なくとも前記発信源装置が無線通信システムへ接続するためにネットワークエントリ処理を実行することを要する前記無線通信システムにおいて使用される中間装置であって、
閾値が達成されるまで当該中間装置と前記発信源装置との間のレンジング処理を管理する管理手段を有する、ことを特徴とする中間装置。
【請求項８】
前記発信源装置とともに前記レンジング処理に関するフィードバック情報を局所的に送信する送信手段を更に有する、ことを特徴とする請求項７記載の中間装置。
【請求項９】
前記送り先装置から送信される最終のレンジング応答を中継する中継局を有する、ことを特徴とする請求項７記載の中間装置。
【発明の詳細な説明】
【技術分野】
【０００１】
現在、パケットに基づく無線及び他の通信システムではマルチホップ技術の使用に大きな関心が寄せられている。このような技術は、サービスエリアの拡大及びシステム容量（スループット）の増大の両方を可能にすると言われている。
【背景技術】
【０００２】
マルチホップ通信システムで、通信信号は、発信源装置から送り先装置へ１又はそれ以上の中間装置を介して通信経路に沿った通信方向で送信される。図１は、基地局ＢＳ（「ノードＢ」ＮＢとして３Ｇ通信システムとの関連で知られる。）と、中継ノードＲＮ（中継局ＲＳとして知られる。）と、ユーザ装置ＵＥのアイテム（移動局ＭＳ又は加入者設備ＳＳとしても知られる。以下、略称ＭＳ又はＭＳ／ＳＳはこのような形式のＵＥのうちのいずれかを表すために使用される。）とを有する単一セル２ホップ無線通信システムを表す。信号が基地局から送り先ユーザ装置（ＵＥ）へ中継ノード（ＲＮ）を介してダウンリンク（ＤＬ）で送信されている場合、基地局は発信局（Ｓ）を構成し、ユーザ装置は送り先局（Ｄ）を構成する。通信信号が、ユーザ装置（ＵＥ）から中継ノードを介して基地局へアップリンク（ＵＬ）で送信されている場合、ユーザ装置は発信局を構成し、基地局は送り先局を構成する。後者の通信形態は、ネットワークエントリ手順の一部として、基地局へ（ひいては、ネットワークへ）そのユーザ装置を識別するための、ユーザ装置によって送信される信号を含む。これは、以下で説明されるように、本発明に特に関連する。
【０００３】
中継ノードは、中間装置の一例であり、発信源装置からデータを受信するよう動作する受信器と、このデータ又はそれから派生したものを送り先装置へ送信するよう動作する送信器とを有する。
【０００４】
単純なアナログリピータ又はデジタルリピータは、デッドスポットでサービスエリアを改善又は提供するための中継器として使用されてきた。それらは、発信源からの送信とリピータからの送信との間の干渉を防ぐよう、発信局とは異なる送信周波数帯で動作することができる。あるいは、それらは、発信局からの送信がない場合に動作することができる。
【０００５】
図２は、中継局の多数の応用を表す。固定インフラに関して、中継局によって提供されるサービスエリアは、他の物体の陰になりうる移動局又は、基地局の正常範囲内にあるにもかかわらず、基地局から十分な強さの信号を受信することができない移動局の通信ネットワークへのアクセスを可能にするよう「全部（ｉｎ−ｆｕｌｌ）」でありうる。「範囲拡大」も示される。範囲拡大で、中継局は、移動局が基地局の正常データ送信範囲の外側にある場合にアクセスを可能にする。図２の右上に示される「全部」の一例は、地表面より上の、又は地表面にある、又は地表面より下の建物の中でサービスエリアの浸透を可能にするための遊動的な中継局の位置付けである。
【０００６】
他の応用は、イベント又は緊急事態／災害の間にアクセスを提供するよう一時的なカバー効果をもたらす遊動的な中継局である。図２の右下に示される最後の応用は、乗り物に置かれた中継器を用いてネットワークへのアクセスを提供する。
【０００７】
中継器は、また、以下で説明されるように、通信システムのゲインを高めるために高度な送信技術とともに使用され得る。
【０００８】
伝播損失、即ち「経路損失」の発生は、空間を伝播する際の無線通信の散乱又は吸収に起因して、信号の強さを弱めることが知られる。送信器と受信器との間の経路損失に影響を与える要因は、送信器アンテナの高さと、受信器アンテナの高さと、搬送波周波数と、クラッターの種類（都会、郊外、田舎）と、例えば、高さ、密度、距離間隔、地形の種類（丘陵、平面）などの形態の詳細とを含む。送信器と受信器との間の経路損失Ｌ（ｄＢ）は：
Ｌ＝ｂ＋１０ｎｌｏｇｄ          （Ａ）
によってモデル化され得る。なお、ｄ（メートル）は送信器−受信器間距離であり、ｂ（ｄＢ）及びｎは経路損失パラメータであり、吸収経路損失はｌ＝１０（Ｌ／１０）によって与えられる。
【０００９】
間接リンクＳＩ＋ＩＤで現れる吸収経路損失の合計は、直接リンクＳＤで現れる経路損失よりも低いことがある。言い換えると、
Ｌ（ＳＩ）＋Ｌ（ＩＤ）＜Ｌ（ＳＤ）          （Ｂ）
が起こり得る。
【００１０】
従って、単一送信を２（又はそれ以上）のより短い送信セグメントに分けることは、経路損失と距離との間の非線形な関係を利用する。式（Ａ）を用いる経路損失の単純な理論解析から、全体的な経路損失の減少（従って、信号強度ひいてはデータスループットの改善又は増進）は、信号が発信源装置から送り先装置へ直接送信されるのではなく、発信源装置から送り先装置へ中間装置（１又はそれ以上の中継ノード。）を介して送信される場合に達成され得る。適切に実施される場合に、マルチホップ通信システムは、干渉レベルの減少をもたらし、更に、電磁放射への暴露を減少させるよう、無線通信を促す送信器の送信電力の低減を可能にすることができる。代替的に、全体的な経路損失の減少は、信号を搬送するために必要とされる放射送信電力全体を増大させることなく、受信器において受信信号品質を改善するために利用され得る。
【００１１】
マルチホップシステムは、多搬送波送信とともに使用するのに適する。例えば、ＦＤＭ（周波数分割多重）、ＯＦＤＭ（直交周波数分割多重）又はＤＭＴ（離散マルチトーン）などの多搬送波送信システムで、単一データストリームは、Ｎ個の並行な副搬送波に変調される。夫々の副搬送波は夫々の周波数範囲を有する。このことは、全ての帯域幅（即ち、所与の時間間隔に送信されるべきデータの量。）が複数の副搬送波に分けられて、夫々のデータシンボルの存続期間を増大させることを可能にする。夫々の副搬送波はより低い情報速度を有するので、多搬送波システムは、単一搬送波システムと比べて、チャネル誘導歪みに対する耐性の増進から恩恵を受ける。これは、夫々の副搬送波の伝送速度、ひいては帯域幅がチャネルのコヒーレンス帯域幅よりも狭いことを確実にすることによって可能となる。結果として、信号の副搬送波に現れるチャネル歪みは周波数に依存せず、従って、単純な位相及び振幅補正係数によって補正され得る。このようにして、多搬送波受信器におけるチャネル歪み補正エンティティは、システムの帯域幅がチャネルのコヒーレンス帯域幅を上回る場合に、単一搬送波受信器におけるその対応部分よりも著しく複雑さの程度が低い。
【００１２】
直交周波数分割多重（ＯＦＤＭ）は、ＦＤＭに基づく変調技術である。ＯＦＤＭシステムは、副搬送波のスペクトルが、相互に依存しないという事実により、干渉することなく重なり合うことができるように、数学的意味で直交する複数の副搬送波周波数を使用する。ＯＦＤＭシステムの直交性は、保護周波数帯の必要性を除き、それによって、システムのスペクトル効率を増大させる。ＯＦＤＭは、多数の無線システムに関して提案され、導入されてきた。それは、現在、非対称型デジタル加入者回線（ＡＤＳＬ）接続で、幾つかの無線ＬＡＮ用途（例えば、ＩＥＥＥ８０２．１１ａ／ｇ標準に基づくＷｉＦｉ装置。）で、及び、例えば、（ＩＥＥＥ８０２．１６標準に基づく）ＷｉＭＡＸのような（特に本発明に関連する）無線ＭＡＮ用途で使用される。ＯＦＤＭは、しばしば、符号化された直交ＦＤＭ又はＣＯＦＤＭを生成するために、チャネル符号化やエラー補正技術とともに使用される。ＣＯＦＤＭは、現在デジタル電気通信システムで幅広く使用されており、チャネル歪みの変化が周波数領域における副搬送波及び時間領域におけるシンボルの両方で見られるところの多経路環境においてＯＦＤＭに基づくシステムの性能を改善する。システムは、例えば、ＤＶＢ及びＤＡＢなどの映像及び音声放送、並びに、ある種のコンピュータネットワーク技術での使用を見出してきた。
【００１３】
ＯＦＤＭシステムで、Ｎ個の変調された並行なデータソース信号のブロックは、逆離散又は高速フーリエ変換アルゴリズム（ＩＤＦＴ／ＩＦＦＴ）を用いることによってＮ個の直交する並行な副搬送波にマッピングされて、送信器において時間領域の「ＯＦＤＭシンボル」として知られる信号を形成する。従って、ＯＦＤＭシンボルは、全てのＮ個の副搬送波信号の合成信号である。ＯＦＤＭシンボルは：
【００１４】
【数１】
2010200375.tif 000003
として数学的に表され得る。なお、Δｆは単位Ｈｚで表される副搬送波分離であり、Ｔｓ＝１／Δｆは単位秒で表されるシンボルの時間間隔であり、ｃｎは変調されたソース信号である。ソース信号の夫々ｃ∈Ｃｎ、ｃ（ｃ０，ｃ１．．ｃＮ−１）が変調される（１）の副搬送波ベクトルは、有限配列からのＮ個の配列シンボルのベクトルである。受信器で、受信される時間領域の信号は、離散フーリエ変換（ＤＦＴ）又は高速フーリエ変換（ＦＦＴ）アルゴリズムを適用することによって周波数領域に逆変換される。
【００１５】
ＯＦＤＭＡ（直交周波数分割多重アクセス）は、ＯＦＤＭの多重アクセス変形である。それは、個々のユーザへ副搬送波の一部を割り当てることによって機能する。これは、幾人かのユーザからの同時送信を可能にし、より良いスペクトル効率をもたらす。しかし、依然として、干渉を伴わずに、双方向通信、即ち、アップリンク方向及びダウンリンク方向での通信を可能にすることに関して課題が存在する。
【００１６】
２つのノード間の双方向通信を可能にするために、２つのよく知られる異なるアプローチは、装置が同じリソース媒体で同時に送信及び受信を行うことができないという物理的な制限を解消するよう２つ（フォワード又はダウンロード及びリバース又はアップリンク）の通信リンクをデュプレックスする目的で存在する。第１の周波数分割デュプレックス（ＦＤＤ）は、伝送媒体を２つの区別可能な帯域に細分することによって、同時に、しかし異なる周波数帯域で、一方はフォワードリンク通信であり、他方はリバースリンク通信である２つのリンクを動作させる。第２の時間分割デュプレックス（ＴＤＤ）は、フォワードリンク又はリバースリンクのいずれか一方しかどの時点においても媒体を利用しないように、同じ周波数帯域にあるが、時間において媒体へのアクセスを細分する２つのリンクを動作させる。両アプローチ（ＴＤＤ及びＦＤＤ）は夫々利点を有し、両方とも単一ホップ有線及び無線通信システムに関してよく使用される技術である。例えば、ＩＥＥＥ８０２．１６標準は、ＦＤＤ及びＴＤＤの両モードを組み込む。ＩＥＥＥ  Ｓｔｄ  ８０２．１６−２００４「固定ブロードバンド無線アクセスシステムのためのエアインターフェース（Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ）」は全体として参照することによって援用される。
【発明の概要】
【発明が解決しようとする課題】
【００１７】
通信がＭＳ／ＳＳとＢＳとの間で直接的に行われるところの単一ホップ通信システムで、ネットワークエントリ手順は、ＢＳとともにＭＳ／ＳＳによって続けられる。しかし、既知のネットワークエントリ手順は、ＢＳとＭＳ／ＳＳとの間の通信が１又はそれ以上の中継局ＲＳを介して行われるところのマルチホップシステムにとっては十分でない。結果として、このような場合に利用されるネットワークエントリ手順は改善される必要がある。
【課題を解決するための手段】
【００１８】
本発明の第１の態様に従って、発信源装置、送り先装置及び中間装置を有し、前記発信源装置及び前記送り先装置は前記中間装置を介して情報を送信及び受信するよう配置され、少なくとも前記発信源装置は無線通信システムへ接続するためにネットワークエントリ処理を実行するよう配置される前記無線通信システムにおける使用のための送信方法であって、前記中間装置において、前記発信源装置が前記中間装置とともにネットワークエントリ処理を開始したかどうかを判断し、開始している場合に、前記発信源装置とともに前記ネットワークエントリ処理を実行し続ける間、そのことを前記送り先装置に通知する段階と、前記送り先装置において、前記中間装置への返信メッセージにより前記通知に応答する段階とを有し、前記返信メッセージは前記ネットワークエントリ処理の完了を促すために使用される送信方法が提供される。
【００１９】
本発明は、目下参照されるべき独立クレームにおいて定義される。有利な実施形態は下位クレームにおいて記載される。
【００２０】
本発明の実施形態は、中継可能な通信ネットワークへのレガシーＭＳ又はＳＳのエントリを可能にするよう、ＢＳ及びＲＳが従うネットワークエントリ手順として導入される新規なプロトコルを用いる通信方法、通信システム及び中間装置（例えば、中継局ＲＳ。）を提供する。前記プロトコルは、ＲＳが全ての処理を監視しうるところの分散型制御を含む。前記プロトコルは、ＩＥＥＥ８０２．１６標準で行われる現在のネットワークエントリ手順の翻案として実施されても良く、特に、ＲＳが同期及び放送制御情報（即ち、プリアンブル及びＭＡＰ。）を送信する場合のために設計される。
【００２１】
本発明は、また、ＲＳ又は、ＲＳとして動作するＭＳ／ＳＳで新規なプロトコルを実行するための（コンピュータ読取可能な記録媒体に記憶され得る）コンピュータソフトウェアを包含する。
【図面の簡単な説明】
【００２２】
【図１】単一セル２ホップ無線通信システムを示す。
【図２ａ】中継局ＲＳの応用を示す。
【図２ｂ】中継局ＲＳの応用を示す。
【図３】標準的なＭＳネットワークエントリ手順を示す。
【図４】本発明を具体化する中継可能ネットワークにおけるＭＳレンジング処理の間のＲＳ管理手順を示す。
【発明を実施するための形態】
【００２３】
以下、本発明の好ましい特徴について一例として添付の図面を参照して記載する。
【００２４】
レガシー単一ホップシステム（例えば、８０２．１６−２００４及び８０２．１６ｅ−２００５）で、標準的なネットワークエントリ手順は既に存在しており、通信ネットワークへのＭＳ又はＳＳのエントリをサポートする。しかし、ネットワークが、レガシーＭＳ又はＳＳに関する知識を全く有さない中継機能をサポートするよう変更される場合に、変更されたネットワークエントリ手順は、ＭＳ／ＳＳネットワークエントリの高速且つ効率的なサポートを容易にするようネットワークの観点から必要とされる。
【００２５】
本発明は、ネットワークの観点から変更ネットワークエントリ手順として導入される、即ち、ＲＳ及びＢＳにおいて導入されるよう意図されるプロトコルを提供する。特に、それは、ＩＥＥＥ８０２．１６標準への適用を考慮して設計され、ＭＳ又はＳＳの観点からは手順への変更を要しない。それは、また、ＲＳがプリアンブル及び放送制御情報を送信可能であり、従って、局所的に処理を管理して（即ち、分散型制御。）、別に中継に関連しうる待ち時間を最小限とする能力を有するところの非トランスペアレントな中継の場合のために設計される。
【００２６】
図３は、単一ホップ通信システムへのＭＳ又はＳＳのネットワークエントリをサポートする、ＩＥＥＥ８０２．１６標準で記載されるネットワークエントリ手順を表す。
【００２７】
ここで、ＭＳがネットワークエントリ手順の間に通信しているいずれのＲＳも既にネットワーク（ちなみに、本明細書で、用語「ネットワーク」及び「システム」は同義的に使用される。）に知られているとする。例えば、ＲＳは、例えば、本願出願人による英国特許出願番号０６１６４７５．０に記載されるような別個の手順に従うネットワークへのエントリを既に完了していても良い。英国特許出願番号０６１６４７５．０の開示は参照することによって援用される。また、ネットワークがレガシーユーザをサポートするために必要とされる場合に、ＭＳ又はＳＳは、図３で表されるように、その観点から同じネットワークエントリ手順に依然として従うとする。しかし、ＲＳによって従われる手順は、ここで定義され、ＢＳによって従われる手順は、単一ホップネットワークの場合に従われる手順から変更される。説明を簡単にするために、図１のような２ホップ構造を考える。しかし、本発明はこれに限定されない。
【００２８】
［ダウンリンクチャネルの走査］
この段階の間に、ＭＳ／ＳＳは、ＢＳ又はＲＳのいずれか一方から発せられるプリアンブル送信を走査する。全ての可能性があるプリアンブルが検出されると、ＭＳは、標準的な手順に従って、どのチャネルを使用したいかを利用可能なチャネルの組から選択する。次いで、ＭＳはその受信器を送信器と同期させる。
【００２９】
更なる動作は、既存の単一ホップシステムにおける動作の他に必要とされない点に留意すべきである。
【００３０】
［アップリンクパラメータの取得］
この段階の間に、ＭＳ／ＳＳは、次の段階でＭＳ／ＳＳによって使用されうるアップリンク制御情報送信範囲の位置を含むアップリンクパラメータを取得する。この情報は、ＭＳ／ＳＳが接続を試みるＢＳ又はＲＳによって発生する。
【００３１】
［レンジング及び自動調整］
ＭＳ／ＳＳは、自身を識別するための識別情報の形式としての、ＩＥＥＥ８０２．１６標準で定義されるようなレンジングコード又はレンジングメッセージをネットワークへ送信する（ちなみに、用語「レンジングメッセージ」は、ＯＦＤＭが使用される場合により的確であり、「レンジングコード」はＯＦＤＭＡに対してより適切である。しかし、以下の記載で、「レンジングコード」はＯＦＤＭ及びＯＦＤＭＡの両方で使用される。）。このコードは、選択されるダウンリンクチャネルに基づいて、好ましい受信器へ向けられる。
【００３２】
次いで、レンジングコードの受信器は、概して、ＲＳがＭＳにとってＢＳと同じように見えるので、独立してレンジングコードを検出しようと試みる。しかし、ＢＳ及びＢＳからＲＳへのエアインターフェースがこの新しい接続をサポートすることができることをＲＳは確実にする必要があると考えられるので、幾つかのメカニズムがこれを容易にするためにシステム内で必要とされる。代替のこのようなメカニズムは以下３つある。
【００３３】
１．レンジング要求は、然るべく送信出力を設定するよう、ＲＳからＢＳへと中継され、返される。あるいは、レンジング要求の検出がＲＳで実行され、その検出情報がＢＳへ中継される。しかし、このような形式のシステムに関連するフレーム構造と、如何なる応答メッセージもＲＳを介して伝送される必要があるという事実とに起因して、これらのアプローチは両方とも、ＭＳ／ＳＳの観点から余分な待ち時間を生ずる。従って、この方法は性能の点からは好ましくないが、ＲＳにおいて複雑性を最小限に保つので、この点で有利である。
【００３４】
２．ＢＳは検出閾値をＲＳに通知し、ＲＳは、閾値が達成されるまではレンジング処理を管理し、如何なるフィードバック情報も局所的に発生させる。しかし、方法の完了に伴う最終的なレンジング応答は、依然としてＢＳから中継される必要があり、いくらかの余分な待ち時間を生ずる。この方法は、１で提案されるメカニズムと比較して複雑性は増すが、待ち時間が減少する解決方法を提供する。
【００３５】
３．（好ましいメカニズム）ＲＳは、完全にレンジング処理を局所的に管理する。しかし、ＢＳが接続をサポートすることができることを確実にするよう、ＲＳは、初めてレンジングコードを検出したことによりＭＳがネットワークに入ろうと試みていることを知ると直ぐに、ユーザがネットワークエントリを試みていることをＢＳに通知する。ＲＳは、レンジング処理を管理する間、効果的に、ＲＳからＢＳへのリンク上でこの接続に関する第２の「レンジング処理」を並行してパイプライン処理し、それによって待ち時間を最小限とする。この第２の「レンジング処理」は、ＭＳに代わってＢＳとともにＲＳによって実行される処理であり、それ自体のレンジングコードを必要としない。次いで、ＢＳは、接続がサポートされるかどうかをＲＳに通知し、更に、複合リンク上で提供され得る接続形式やサービスレベルなどに関する如何なる特定の情報もＲＳに通知する。次いで、ＲＳは、通知された情報を解釈して、如何なる関連する要素もＭＳ／ＳＳへ送信することができる。あるいは、ＲＳは、レンジング処理を続けるべきかどうかを判断するために情報を使用しても良い。ＲＳは、また、その成功レンジングメッセージ又はあらゆる継続レンジングメッセージに含まれうるＢＳからの特定の情報を要求することができる。この第３のメカニズムは、このメカニズムが２つのリンク上で独立してレンジング及びネットワークエントリ処理を実行することによって最も高い効率を提供するという事実により、ネットワーク性能に関しては好ましい。しかし、このメカニズムはＲＳにおいて最も複雑性を要する。
【００３６】
項目３で記載される手順は図４で表される。ここで、（１００）は、ＲＳを介してネットワークに入ろうと試みているＭＳ又はＳＳによってＲＳ（又はＢＳ）へ送信される第１のメッセージを示す。ＲＳが（１００）を検出する場合、同じフレームで（又は後の時点で）、ＲＳはメッセージ（２００）をＢＳへ送信して、この処理をサポートするために要求されるあらゆる情報を要求し、更に（１００）の到着をＢＳに通知する。次いで、ＲＳは、例えば継続メッセージであって、その次の送信に対して行うべき調整などのＭＳ／ＳＳへの情報を含む適切なメッセージ（３００）により、ＭＳ／ＳＳへ応答する。ＢＳは、また、（２００）に応答して、（４００）により示されるように、承認し、（２００）で必要とされる情報のいずれかを提供する。
【００３７】
後のある時点で、ＭＳ／ＳＳは他のメッセージ（５００）を送信することができる。これが依然としてＲＳの観点から十分でない場合、ＭＳ／ＳＳは（３００）のような他の継続及び調整メッセージに応答しても良い。しかし、ＲＳが最終的に十分なメッセージ（５００）を受信すると、ＲＳはレンジング処理を完了する。この時点で、ＲＳは、メッセージ（６００）をＢＳに通知し、また、他のメッセージ（７００）でネットワークエントリの以降の段階に必要とされる情報を要求することができる。次いで、ＲＳは、他のメッセージ（８００）を介してレンジング処理の完了成功をＭＳ／ＳＳに通知する。
【００３８】
留意すべきは、ＭＳ／ＳＳからの最初の送信（１００）がＲＳの観点から十分である場合に、ＲＳとＢＳとの間のメッセージはその後も依然として交換されうるが（即ち、（２００）（４００）（６００）（７００）。）、ＲＳ及びＭＳは当然メッセージ（３００）及び（５００）を飛ばしうる。
【００３９】
代替的に、マルチホップ構造で、複数のＲＳが、ＭＳ／ＳＳとＢＳとの間の通信経路に置かれても良い。このような場合に、上記手順は、２つの処理が独立して夫々のＲＳによって管理されながら、同時に起こりうるように、１のＲＳが他のＲＳからレンジングコード若しくは検出情報を受信する段階、及び／又は、１のＲＳが他のＲＳへレンジングコード若しくは検出情報を中継する段階を含むよう変更される。
【００４０】
上記で、ネットワークはあるレガシーＢＳ（即ち、既存のプロトコルに従って動作する基地局。）と、ある中継可能なＢＳ（即ち、本発明に従って動作する基地局。）とから構成されうるとする。また、中継可能なＢＳは、ネットワークに入るためにＲＳから要求を受信するまで、レガシーモードで動作しうるとする。ＢＳがこのようなモードで動作しうる理由は、送信により恩恵を受ける中継が存在しない場合に中継特有の情報を送信する必要がないことによって、送信リソースを保つためである。
【００４１】
［残りのネットワークエントリ処理］
ＲＳは、ＭＳがネットワークに入ったことを知ると、ネットワークエントリ処理の残りのステップを完全に管理することができる。次いで、ＲＳは、ＲＳとＭＳとの間の処理が少しの余分な待ち時間も導入しない点で最適化されるように、必要とされる限り手順の状態をＢＳに通知し、あるいは情報を調達することができる。
【００４２】
例えば、ＲＳがＢＳにより承認を受けているとすると、ＲＳは、局所的に承認処理を管理して、状態をＢＳに通知し、ネットワーク内の承認を管理するいずれかの中心に位置するサーバから必要とされるあらゆる中心に保持される情報を調達することができる。
【００４３】
上述されたように、本発明は以下の効果を提供することができる。
【００４４】
・接続を求められているＲＳによって独立して管理され且つ同時に起こる２又はそれ以上（この数はリンク数に依存する。）の処理から効果的に構成されるレンジング及びネットワークエントリ手順を定めることができる。
【００４５】
・処理の局所管理により、ネットワークエントリに関連する待ち時間を最低限とすることができる。
【００４６】
・ネットワークエントリ性能に対して無有意な又は最悪の場合でも制限された影響を有して、システムが多数のホップを潜在的にサポートすることを可能にする拡張可能な解決方法を提供することができる。
【００４７】
このようにして、本発明の実施形態は、無線通信システムにおける使用のための送信方法であって、無線通信システムが加入者設備と、基地局と、１又はそれ以上の中継局の形をとる中間装置とを有し、加入者設備及び基地局が中間装置を介して情報を送信及び受信するよう配置され、少なくとも加入者設備が無線通信システムへ接続するためにネットワークエントリ処理を実行するよう要求される送信方法を提供することができる。当該方法は、中間装置において、例えば、加入者設備からレンジングコードを受信することによって、加入者設備が中間装置とともにネットワークエントリ処理を開始したかどうかを判断する段階を有する。このような判断に際して、中間装置は、加入者設備とともにネットワークエントリ処理を実行し続けながら、その事実を基地局に通知する。基地局は、中間装置への返信メッセージによりこの通知に応答する。この返信メッセージは、基地局から中間装置へと導かれる誘導処理の一部であり、従って、中間装置は、ネットワークエントリ処理の完了を管理することができる。当該方法は、特に、例えばＩＥＥＥ８０２．１６などの標準規格に基づくマルチホップ無線システムに関連する。
【００４８】
本発明の実施形態は、ハードウェアで、あるいは、１又はそれ以上のプロセッサを実行するソフトウェアモジュールとして、あるいは、それらの組合せで実施されても良い。即ち、当業者には明らかなように、マイクロプロセッサ又はデジタル信号プロセッサ（ＤＳＰ）が、本発明を具体化する送信器の機能の幾つか又は全てを実施するために実際に使用されても良い。本発明は、また、本明細書で記載される方法のいずれかの一部又は全てを実行するための１又はそれ以上の装置若しくは機器プログラム（例えば、コンピュータプログラム及びコンピュータプログラムプロダクト。）として具体化されても良い。本発明を具体化するこのようなプログラムは、コンピュータ読取可能な記録媒体に保存されても良く、あるいは、例えば、１又はそれ以上の信号の形をとっても良い。このような信号は、インターネットウェブサイトからダウンロード可能なデータ信号、又は、搬送波信号で供給されるデータ信号、又は、いずれかの他の形式のデータ信号でありうる。
【００４９】
本発明を具体化するプログラムは、また、上述されたようなＲＳの機能を適切なハードウェアを有するＭＳ／ＳＳへ付加するために使用されても良い。
【００５０】
（付記１）  発信源装置、送り先装置及び中間装置を有し、前記発信源装置及び前記送り先装置は前記中間装置を介して情報を送信及び受信するよう配置され、少なくとも前記発信源装置は無線通信システムへ接続するためにネットワークエントリ処理を実行するよう配置される前記無線通信システムにおける使用のための送信方法であって、
前記中間装置において、前記発信源装置が前記中間装置とともにネットワークエントリ処理を開始したかどうかを判断し、開始している場合に、前記発信源装置とともに前記ネットワークエントリ処理を実行し続ける間、そのことを前記送り先装置に通知する段階と、
前記送り先装置において、前記中間装置への返信メッセージにより前記通知に応答する段階とを有し、
前記返信メッセージは前記ネットワークエントリ処理の完了を促すために使用される送信方法。
【００５１】
（付記２）  前記ネットワークエントリ処理は、前記発信源装置から前記中間装置への１又はそれ以上のレンジング試行を含む、付記１記載の送信方法。
【００５２】
（付記３）  前記レンジング試行が成功した後、前記中間装置は前記発信源装置により前記ネットワークエントリ処理の残りの処理を管理する、付記２記載の送信方法。
【００５３】
（付記４）  前記中間装置から前記送り先装置への前記通知は、前記発信源装置とともに前記中間装置によって実行される前記ネットワークエントリ処理と並行して且つ前記ネットワークエントリ処理とは無関係に前記送り先装置と前記中間装置との間で実行される前記発信源装置のネットワークエントリのための誘導処理の一部である、付記１乃至３のうちいずれかひとつに記載の送信方法。
【００５４】
（付記５）  前記送り先装置から前記中間装置への前記返信メッセージは、前記接続がサポートされ得るかどうかを前記中間装置に通知する、付記１乃至４のうちいずれかひとつに記載の送信方法。
【００５５】
（付記６）  前記送り先装置から前記中間装置への前記返信メッセージは、前記中間装置を介して前記発信源装置が利用可能な接続形式及び／又はサービスレベルを前記中間装置に通知する、付記１乃至５のうちいずれかひとつに記載の送信方法。
【００５６】
（付記７）  前記中間装置は、前記返信メッセージから得られる情報を前記発信源装置へ送信する、付記６記載の送信方法。
【００５７】
（付記８）  前記中間装置は、前記ネットワークエントリ処理を続けるべきかどうかを判断するために前記返信メッセージを使用する、付記６又は７のうちいずれかひとつに記載の送信方法。
【００５８】
（付記９）  前記中間装置は、前記発信源装置からの特定の情報を要求するために前記返信メッセージを使用する、付記６乃至８のうちいずれかひとつに記載の送信方法。
【００５９】
（付記１０）  前記発信源装置は加入者設備である、付記１乃至９のうちいずれかひとつに記載の送信方法。
【００６０】
（付記１１）  前記発信源装置は携帯端末である、付記１乃至１０のうちいずれかひとつに記載の送信方法。
【００６１】
（付記１２）  前記送り先装置は基地局である、付記１乃至１１のうちいずれかひとつに記載の送信方法。
【００６２】
（付記１３）  前記中間装置は、前記発信源装置と前記送り先装置との間に２ホップ構造で配置される中継局である、付記１乃至１２のうちいずれかひとつに記載の送信方法。
【００６３】
（付記１４）  前記中間装置は、前記発信源装置と前記送り先装置との間にマルチホップ構造で配置される複数の中継局によって構成され、
前記複数の中継局のうちの第１の中継局は、前記発信源装置による前記ネットワークエントリ処理の開始を検出し、前記送り先装置へ送信するために前記複数の中継局のうちの他の中継局へ前記通知を中継する、付記１乃至１２のうちいずれかひとつに記載の送信方法。
【００６４】
（付記１５）  発信源装置、送り先装置及び中間装置を有し、前記発信源装置及び前記送り先装置は前記中間装置を介して情報を送信及び受信するよう配置され、少なくとも前記発信源装置は当該無線通信システムへ接続するためにネットワークエントリ処理を実行するよう配置される無線通信システムであって、
前記中間装置は、前記発信源装置が前記中間装置とともにネットワークエントリ処理を開始したかどうかを判断する判断手段と、該判断手段の出力に応答して、前記ネットワークエントリ処理が開始されていることを前記送り先装置に通知する通知手段と、該通知手段の動作と同時に前記発信源装置とともに前記ネットワークエントリ処理を実行する管理手段とを有し、
前記送り先装置は、前記中間装置への返信メッセージにより前記通知に応答する手段を有し、
前記返信メッセージは前記ネットワークエントリ処理の完了を促すために使用される無線通信システム。
【００６５】
（付記１６）  前記ネットワークエントリ処理は、前記発信源装置から前記中間装置への１又はそれ以上のレンジング試行を含む、付記１５記載の無線通信システム。
【００６６】
（付記１７）  前記中間装置の前記管理手段は、前記レンジング試行が成功したことに応答して、前記発信源装置とともに前記ネットワークエントリ処理の残りの処理を管理する、付記１６記載の無線通信システム。
【００６７】
（付記１８）  前記中間装置から前記送り先装置への前記通知は、前記送り先装置と前記中間装置との間で実行される前記発信源装置のネットワークエントリのための誘導処理の一部であり、
前記管理手段は、前記発信源装置とともに前記ネットワークエントリ処理を実行することと並行して且つ無関係に前記誘導処理を実行するよう構成される、付記１５乃至１７のうちいずれかひとつに記載の無線通信システム。
【００６８】
（付記１９）  前記送り先装置は、前記接続がサポートされ得るかどうかを前記中間装置に通知するために前記中間装置へ前記返信メッセージを送信するよう配置される、付記１５乃至１８のうちいずれかひとつに記載の無線通信システム。
【００６９】
（付記２０）  前記送り先装置は、前記中間装置を介して前記発信源装置が利用可能な接続形式及び／又はサービスレベルを前記中間装置に通知するために前記返信メッセージを送信するよう配置される、付記１５乃至１９のうちいずれかひとつに記載の無線通信システム。
【００７０】
（付記２１）  前記中間装置は、前記返信メッセージから得られる情報を前記発信源装置へ送信するよう配置される、付記２０記載の無線通信システム。
【００７１】
（付記２２）  前記中間装置の前記管理手段は、前記返信メッセージに応答して、前記ネットワークエントリ処理を続けるべきかどうかを判断する、付記２０又は２１のうちいずれかひとつに記載の無線通信システム。
【００７２】
（付記２３）  前記中間装置の前記管理手段は、前記返信メッセージに応答して、前記発信源装置からの特定の情報を要求する、付記２０乃至２２のうちいずれかひとつに記載の無線通信システム。
【００７３】
（付記２４）  当該中間装置を介して情報を送信及び受信するよう配置される発信源装置及び送り先装置を有し、少なくとも前記発信源装置が無線通信システムへ接続するためにネットワークエントリ処理を実行することを要する前記無線通信システムにおける使用のための中間装置であって、
前記発信源装置が当該中間装置とともにネットワークエントリ処理を開始したかどうかを判断する判断手段と、
該判断手段の出力に応答して、前記ネットワークエントリ処理が開始されていることを前記送り先装置に通知する通知手段と、
該通知手段の動作と同時に前記発信源装置とともに前記ネットワークエントリ処理を管理し、且つ、前記通知に応答して前記送り先装置から送信される応答に応答して、該応答に含まれる情報を用いることによって前記発信源装置とともに前記ネットワークエントリ処理を完了する管理手段とを有する中間装置。
【００７４】
（付記２５）  前記発信源装置及び前記送り先装置とともに２ホップ構造での使用のための単一中継局の形をとる、付記２４記載の中間装置。
【００７５】
（付記２６）  前記発信源装置と前記送り先装置との間でマルチホップ構造での使用のための複数の中継局の形をとり、夫々の中継局は前記決定手段、前記通知手段、及び前記管理手段を有し、
前記通知手段は、また、前記複数の中継局のうちの他の中継局からの通知に応答し、もしあれば、前記ネットワークエントリ処理が前記発信源装置によって開始されていることを前記送り先装置又は上流の中継局に通知するよう配置され、
前記管理手段は、また、前記上流の中継局を介して受信される応答に応答して、もしあれば、前記応答に含まれる情報を用いることによって前記発信源装置とともに前記ネットワークエントリ処理を完了し、あるいは、もしあれば下流の中継局へ前記情報を送る、請求項２４記載の中間装置。
【００７６】
（付記２７）  中間装置を介して情報を送信及び受信するよう夫々配置される加入者設備及び基地局を有し、少なくとも前記加入者設備が無線通信システムへ接続するためにネットワークエントリ処理を実行することを要する前記無線通信システムにおいて前記中間装置によって実行される場合に、前記中間装置に、
前記加入者設備が前記中間装置とともにネットワークエントリ処理を開始したかどうかを判断する判断手段、
該判断手段の出力に応答して、前記ネットワークエントリ処理が開始されていることを前記基地局に通知する通知手段、及び
該通知手段の動作と同時に前記発信源装置とともに前記ネットワークエントリ処理を管理し、且つ、前記通知に応答して前記送り先装置から送信される応答に応答して、該応答に含まれる情報を用いることによって前記発信源装置とともに前記ネットワークエントリ処理を完了する管理手段
の機能を提供するコンピュータプログラムを記憶するコンピュータ読取可能な記録媒体。
【００７７】
（付記２８）  前記コンピュータプログラムは、前記中間装置が１又はそれ以上の中継局によって構成されることを可能にする、付記２７記載のコンピュータ読取可能な記録媒体。
【００７８】
（付記２９）  前記コンピュータプログラムは、前記中間装置が１又はそれ以上の更なる加入者設備によって構成されることを可能にする、付記２７記載のコンピュータ読取可能な記録媒体。
【符号の説明】
【００７９】
ＢＳ  基地局
ＲＳ  中継局（中間装置）
ＭＳ  移動局
ＳＳ  加入者設備
ＵＥ  ユーザ装置
Ｌ    経路損失
【図１】
2010200375.tif 000004
【図２ａ】
2010200375.tif 000005
【図２ｂ】
2010200375.tif 000006
【図３】
2010200375.tif 000007
【図４】
2010200375.tif 000008